(57)【要約】  掛け金アセンブリと保持器とを含む、掛け金装置が開示される。掛け金装置は、カップ状の筐体に取付けられたグラバーキャッチを含む。例示された実施形態において、掛け金装置はまた、直線的に動く爪を含み、爪はカップ状の筐体にピボット的に取付けられた取っ手によって駆動される。保持器が掛け金アセンブリに固定される時に、グラバーキャッチの爪と直線的に移動する爪の両方が、保持器に係合する。
2008505291.tif 000002
【特許請求の範囲】
【請求項１】
第二閉鎖部材に関して閉じられた位置にある第一閉鎖部材を、取外し可能に固定するための掛け金装置において、
前記掛け金装置が、前記第二閉鎖部材に取付けられるようになっている保持器を具備し、前記保持器は、基盤と前記基盤から突出た掴み具とを有していて、
掛け金アセンブリが、前記第一閉鎖部材に装着されるようになっていて、ユーザによって前記第一閉鎖部材に作用する引張り力を伝達するようになっているカップ状の第一筐体と、
前記第一筐体に取付けられ、前記突出た掴み具に取外し可能に係合出来るグラバーキャッチとを具備しており、
前記グラバーキャッチは、ピボット的に移動可能な爪を包含し、前記爪は、掛け金される位置と掛け金されない位置との間でピボット的に移動可能あり、前記爪は、前記掛け金される位置と前記掛け金されない位置との間を移動する場合に、前記掛け金される位置と前記掛け金されない位置との中間の中立の位置を通過し、付勢手段は、前記爪が、前記掛け金される位置と、前記中立の位置及び前記掛け金される位置の中間の位置とのいずれか一つの位置にある場合に、前記爪を前記掛け金される位置の方向に付勢し、前記付勢手段は、前記爪が、前記掛け金されない位置と、前記中立の位置及び前記掛け金されない位置の中間の位置とのいずれか一つの位置にある場合に、前記爪を前記掛け金されない位置の方向に付勢する、掛け金装置。
【請求項２】
前記グラバーキャッチの前記爪が第二爪であり、前記突出た掴み具がキャビティを有していて、
掛け金装置がさらに、駆動アームを有する、前記第一筐体にピボット的に取付けられた取っ手と、引込んだ位置と伸長した位置との間を直線的に移動するように支持された第一爪とを具備していて、
前記第一爪は、前記駆動アームによって係合可能であり、前記第一爪は、前記取っ手のピボット的な動きに応じて、前記伸長した位置から前記引込んだ位置に移動が可能であり、前記第一爪は、前記取っ手のピボット的な動きを伴わずに、前記掛け金アセンブリから前記保持器が離脱することを防止するために、前記キャビティと係合が可能である、請求項１に記載の掛け金装置。
【請求項３】
前記第一爪が、前記伸長した位置の方向に付勢される、請求項２に記載の掛け金装置。
【請求項４】
前記第一爪が傾斜面を有し、前記傾斜面は、前記閉じられた位置へ前記第一閉鎖部材が動く間に、前記引込んだ位置の方向に前記第一爪を移動するために、前記掴み具から作用を受ける、請求項３に記載の掛け金装置。
【請求項５】
前記掴み具が、片持ち梁の方法で前記保持器の前記基盤の上に張り出す部分を有する、ほぼL字状突起の形状をしている、請求項１から４のいずれか一項に記載の掛け金装置。
【請求項６】
前記グラバーキャッチがさらに、前記第一筐体に取付けられた第二筐体を具備し、前記グラバーキャッチの前記爪が、前記第二筐体内に、少なくとも部分的に配置される、請求項１から４のいずれか一項に記載の掛け金装置。
【発明の詳細な説明】
【技術分野】
【０００１】
本発明は、閉じられた位置で、パネル又は扉のような締切り部材を、取外し可能に固定するための掛け金装置に関する。
【背景技術】
【０００２】
自動車のトランクは、通常、取外すことが可能な荷重床のパネルを備える。これらのパネルは、一般的に車のトランクに配置された物体の重量を支え、例えば一般的に荷重床のパネルの下に収納されるスペアタイヤに接近できるように取外しが可能である。荷重床のパネルと通常荷重床のパネルを覆う床マットは、重力によって所定の位置に保持されることが一般的にである。荷重床のパネルは、必要な場合に、ユーザがパネルを取除くことができるように、荷重床のパネルの上面と面一である取っ手を、通常備えている。しかしながら、この一般的に使用されてきた配置は、悪路を行く場合に、荷重床のパネルが移動してしまうような欠点を有する。さらに、パネルが所定の位置に積極的に固定されないから、離れてしまって、トランクの中でガタガタ音をさせて、所望しない騒音を発生するかもしれない。その結果、このような荷重床のパネルを所定の位置に積極的に固定するために、掛け金が技術的に提案されてきた。
【０００３】
【特許文献１】米国特許第６６２６４７２号明細書（2003年9月30日にGert Bergに交付）
【特許文献２】米国特許第６７１９３３２号明細書（2004年4月13日にLvica Sekulovicに交付）
【特許文献３】米国特許第４６８７２３７号明細書（1987年8月18日にRobert H Bisbingに交付）
【特許文献４】米国特許第６２０３０７７号明細書（2001年3月20日にRichard E Schlackに交付）
【発明の開示】
【発明が解決しようとする課題】
【０００４】
このような掛け金の例は、特許文献１と特許文献２で見ることができ、参照によってここにそれらの全てが組込まれる。しかしながら、幾つかの適用のために、上記に引用された特許で開示された掛け金に比べ、閉鎖に要する力が低減された掛け金が、所望されるかもしれない。よって、所定の場所に荷重床のパネルを積極的に固定するための改良された掛け金に対する要求が、技術的に存続する。
【課題を解決するための手段】
【０００５】
本発明は、例えばパネル、引き出し、扉等々のような閉鎖部材と共に使用するための掛け金構造を対象にする。本発明の掛け金構造の操作が、自動車のトランクの荷重床パネルを固定することに関連して述べられるけれど、本発明の掛け金は、多種類の扉、窓、パネル、及び引き出しに、広範囲に適用することが可能である。本発明の掛け金構造は、扉、窓、パネル、又は引き出しのような第一閉鎖部材を、別の扉、窓、パネル、又は引き出しのような第二閉鎖部材、又は第一閉鎖部材を取り囲むフレームに、取外し可能に固定される。本発明の掛け金構造は、掛け金アセンブリと保持器を包含する。その最も簡潔な形状において、掛け金アセンブリは、保持器と係合するようになっているグラバーキャッチを組込んだカップ状の筐体によって形成される。掛け金アセンブリの例示された実施形態は、第一筐体、取っ手、アクチュエータ、捩じりバネ、第一爪、及びグラバーキャッチを包含する。順次、グラバーキャッチは、第二筐体、第二爪、及び付勢手段を包含し、付勢手段は、第二爪が掛け金される位置に又は近傍にある場合に、第二爪を掛け金される位置の方向に付勢し、第二爪が掛け金されない位置に又は近傍にある場合に、第二爪を掛け金されない位置の方向に付勢する。第二筐体は、第一筐体に取付けられる。例示された実施形態において、第二筐体は、第一筐体と一体をなす。第一爪は、引込めた位置と伸長した位置との間を直線的に移動し、第二爪は、ピボット的に作動する。第二爪は、保持器のL字形状突起部に従って移動し、第一爪は、L字形状突起部の一側面のキャビティの中に移動し、従って、第一と第二の両方の爪は、掛け金アセンブリを保持器に固定するように機能する。第一筐体は、取っ手が閉じられた位置ある場合に、取っ手を受容するカップ状のくぼみを形成する。第一筐体のカップ状のくぼみは、本質的に囲われた底部と開いた上部を有する。ベゼル又はフランジは、第一筐体の開いた上部の外辺部の少なくとも一部分に沿って延在する。第一筐体は、捩じりバネ及び第一爪を支持する。取っ手は、ユーザによって取っ手を握り易くするために、櫂又はリングの形状となる。
【０００６】
第一筐体と第二筐体によって形成された掛け金本体が、幾つかの周知の締付け手段のいずれかを使用して、第一閉鎖部材の開口部又は切抜き部に据付けられる。第一爪が、その伸長した位置に少なくともある場合に、第一爪は、第一筐体の側壁の開口部を介して、第二筐体の中に突出る。第二筐体は、第二爪と、第二爪が少なくともほぼ掛け金された位置にある場合に、掛け金される位置の方向に第二爪を付勢するための、及び第二爪が少なくともほぼ掛け金されない位置にある場合に、掛け金されない位置の方向に第二爪を付勢するための付勢手段とを収納する。第二爪と、第二爪を付勢するための付勢手段とが、技術的にオーバーセンタートルグ機構と称される物を形成する。類似のオーバーセンタートルグ機構の例が、特許文献３と特許文献４に見出され、ここに参照によって完全に組込まれる。
【０００７】
捩じりバネは、第一爪が第二筐体の中に突出る、その伸長した位置の方向に、第一爪を付勢する。取っ手は、第一筐体によってピボット的に支持され、第一爪の開口部に突き当たる駆動アームを有する。取っ手の駆動アームは、例示の実施形態の作動装置を構成する。掛け金の取っ手が、第一筐体のカップ状のくぼみから持ち上げられる場合に、取っ手の駆動アームは、掛け金されない位置に第一爪を引込める。一度、第一爪が掛け金されない位置にあれば、取っ手は、開かれた位置に第一閉鎖部材を移動するために、第二爪のグラバーキャッチの付勢手段によって作用する力に打ち勝つための十分な力で引張られるに違いない。
【０００８】
第一部材が閉じる間に、第一爪の下側にある傾斜面は、第一閉鎖部材がバタンと閉まる時に、掛け金されない位置に爪を摺動するために、保持器のおおよそL字形状の突起部と協同する。爪が、所定の位置で第一閉鎖部材を固定するためにL字形状の突起部の側面のキャビティ又は穴の中に延伸して、一度、第一爪が、L字形状の突起部の側面のキャビティ又は穴と整列すると、そこで捩じりバネは、第一爪を掛け金される位置に移動する。
【０００９】
ここに述べた、閉じる手順の初めに、第二爪は、掛け金されない位置にあり、グラバーキャッチの付勢手段の付勢力によってそこに保持される。この位置において、グラバーキャッチの付勢手段の付勢力は、第二爪を掛け金されない位置の方向に付勢する。第二筐体は、第一筐体の開いた上部が面する方向と反対の方向に面する開いた底部を有する。第一閉鎖部材を閉じる位置に移動する時に、L字形状の突起部は、第二筐体の開いた底部を通過して第二筐体に移動を開始する。掛け金されない位置に第二爪があるので、保持器のL字形状の突起部は、第二爪を外す。L字形状の突起部のより多くの部分が第二筐体に突入するように、L字形状の突起部と第二筐体とが相対的に移動する場合に、第二爪の突出るアームが、保持器の基盤に接触する点に到達し、掛け金される位置の方向にピボット的に移動を開始する。掛け金される方向への第二爪の移動の間に、第二爪の突出るアームは、片持ち梁の方法で保持器の基盤の上に張り出すL字形状の突起部部分の下に移動する。さらに、掛け金される位置の方向に第二爪が移動している間に、第二爪は、掛け金されない位置と掛け金される位置との中間の中立の位置を通過する。一度、第二爪が、中立の位置と掛け金される位置の中間にあれば、グラバーキャッチの付勢手段の付勢傾向は、グラバーキャッチの付勢手段が、すぐに第二爪を掛け金する方向に付勢するように変化する。よって、第二爪が、中立の位置と掛け金される位置との中間にある場合に、第二爪を介して作動する、グラバーキャッチの付勢手段の付勢力は、保持器のL字形状の突起部を第二筐体の中に引っ張り込むようになる。この方法で、第二爪が中立の位置にある場合に、グラバーキャッチの付勢手段に蓄えられるポテンシャルエネルギーは、第一閉鎖部材を閉じるために必要な作用力をそれによって低減するために、第一閉鎖部材を閉じる時に助けとなる。
【００１０】
掛け金する位置に第二爪があるので、第一閉鎖部材は、グラバーキャッチの付勢手段の付勢力によって閉じられる位置に固定される。加えて、第一爪は同時に、第一閉鎖部材が、掛け金アセンブリの取っ手の操作を伴なわないで開けられないように、掛け金アセンブリを保持器に積極的に固定するために、保持器のL字形状の突起部の側面のキャビティに移動する。
【００１１】
第一閉鎖部材を開放するために、取っ手の駆動アームが、掛け金されない位置に第一爪を引込めている第一筐体のカップ状のくぼみから、掛け金の取っ手を持ち上げる。一度、第一爪が、掛け金されない位置にあると、取っ手は、開いた位置に第一閉鎖部材を移動するために、第二爪のグラバーキャッチの付勢手段によって作用する力に打ち勝つための十分な力で引張られるに違いない。この開ける操作の段階の間に、第二爪は、保持器のL字形状の突起部によって第二爪に作用する引張り力によって、掛け金される位置から掛け金されない位置の方向に移動される。掛け金されない位置の方向に第二爪を移動する間に、第二爪は、掛け金される位置と掛け金されない位置との中間の同じ中立の位置を通過する。一度、第二爪が、中立の位置と掛け金されない位置との中間にあれば、再度、グラバーキャッチの付勢手段の付勢傾向は、グラバーキャッチの付勢手段がすぐに、第二爪を掛け金しない位置の方向に付勢するように変化する。一度、第二爪が掛け金しない位置にあれば、保持器のL字形状の突起部が第二筐体から取り外され、保持器が掛け金アセンブリから開放されるために、保持器のL字形状の突起部は、第二爪を取外す。
【発明を実施するための最良の形態】
【００１２】
図１から３０を参照して、本発明は、例えばパネル、引き出し、扉等々のような閉鎖部材と共に使用するための掛け金構造１００を対象にする。本発明の掛け金構造の操作が、自動車のトランクの荷重床パネル１０２を固定することに関連して述べられるけれど、本発明の掛け金は、多種類の扉、窓、パネル、及び引き出しに、広範囲に適用することが可能である。本発明の掛け金構造は、扉、窓、パネル、又は引き出しのような第一閉鎖部材１０２を、別の扉、窓、パネル、又は引き出しのような第二閉鎖部材１０４、又は第一閉鎖部材を取り囲むフレームに、取外し可能に固定される。本発明の掛け金構造１００は、掛け金アセンブリ１０６と保持器１０８を包含する。その最も簡潔な形状において、掛け金アセンブリは、保持器１０８と係合するようになっているグラバーキャッチを組込んだカップ状の筐体によって形成される。掛け金アセンブリ１０６の例示された実施形態は、第一筐体１１０、取っ手１１２、アクチュエータ１１４、捩じりバネ１１６、第一爪１１８、及びグラバーキャッチ１２０を包含する。順次、グラバーキャッチは、第二筐体１２２、第二爪１２４、及び付勢手段１２６を包含し、付勢手段１２６は、第二爪１２４が掛け金される位置に又は近傍にある場合に、第二爪１２４を（図３０に示される）掛け金される位置の方向に付勢し、第二爪１２４が掛け金されない位置に又は近傍にある場合に、第二爪１２４を（図２９に示される）掛け金されない位置の方向に付勢する。第二筐体１２２は、第一筐体１１０に取付けられる。例示された実施形態において、第二筐体１２２は、第一筐体１１０と一体をなす。第一爪１１８は、（図６と２５に示される）引込めた位置と（図５、１９、２１と２６から２８に示される）伸長した位置との間を直線的に移動し、第二爪１２４は、ピボット的に作動する。第二爪１２４は、保持器１０８のL字形状突起部１２８に従って移動し、第一爪１１８は、L字形状突起部１２８の一側面のキャビティ１３０の中に移動し、従って、第一と第二の両方の爪は、掛け金アセンブリ１０６を保持器１０８に固定するように機能する。第一筐体１１０は、取っ手１１２が図１で図解される、閉じられた位置ある場合に、取っ手を受容するカップ状のくぼみを形成する。第一筐体１１０のカップ状のくぼみは、本質的に囲われた底部１３２と開いた上部１３４を有する。ベゼル又はフランジ１３６は、第一筐体１１０の開いた上部１３４の外辺部の少なくとも一部分に沿って延在する。第一筐体１１０は、捩じりバネ１１６及び第一爪１１８を支持する。取っ手１１２は、ユーザによって取っ手を握り易くするために、櫂又はリングの形状となる。
【００１３】
第一筐体１１０と第二筐体１２２によって形成された掛け金本体１３８が、幾つかの周知の締付け手段のいずれかを使用して、第一閉鎖部材１０２の開口部又は切抜き部に据付けられる。第一爪１１８が、その伸長した位置に少なくともある場合に、第一爪１１８は、第一筐体１１０の側壁の開口部１４０を介して、第二筐体１２２の中に突出る。第二筐体１２２は、第二爪１２４と、第二爪１２４が少なくともほぼ掛け金された位置にある場合に、（図２６と３０で示される）掛け金される位置の方向に第二爪１２４を付勢するための、及び第二爪１２４が少なくともほぼ掛け金されない位置にある場合に、（図４、２０、及び３０で示される）掛け金されない位置の方向に第二爪１２４を付勢するための付勢手段とを収納する。第二爪１２４と、第二爪１２４を付勢するための付勢手段とが、技術的にオーバーセンタートルグ機構と称される物を形成する。類似のオーバーセンタートルグ機構の例が、特許文献３と特許文献４に見出され、ここに参照によって完全に組込まれる。
【００１４】
捩じりバネ１１６は、第一爪１１８が第二筐体１２２の中に突出る、その伸長した位置の方向に、第一爪１１８を付勢する。取っ手１１２は、第一筐体１１０によってピボット的に支持され、第一爪１１８の開口部１４２に突き当たる駆動アーム１１４を有する。取っ手１１２の駆動アーム１１４は、例示の実施形態の作動装置を構成する。掛け金の取っ手１１２が、第一筐体１１０のカップ状のくぼみから持ち上げられる場合に、取っ手１１２の駆動アーム１１４は、掛け金されない位置に第一爪１１８を引込める。一度、第一爪１１８が掛け金されない位置にあれば、取っ手１１２は、開かれた位置に第一閉鎖部材１０２を移動するために、第二爪１２４のグラバーキャッチ１２０の付勢手段１２６によって作用する力に打ち勝つための十分な力で引張られるに違いない。
【００１５】
第一部材１０２が閉じる間に、第一爪１１８の下側にある傾斜面１４４は、第一閉鎖部材１０２がバタンと閉まる時に、掛け金されない位置に爪１１８を摺動するために、保持器１０８のおおよそL字形状の突起部１２８と協同する。爪１１８が、所定の位置で第一閉鎖部材１０２を固定するためにL字形状の突起部１２８の側面のキャビティ又は穴１３０の中に延伸して、一度、第一爪１１８が、L字形状の突起部１２８の側面のキャビティ又は穴１３０と整列すると、そこで捩じりバネ１１６は、第一爪１１８を掛け金される位置に移動する。
【００１６】
ここに述べた、閉じる手順の初めに、第二爪１２４は、掛け金されない位置にあり、グラバーキャッチの付勢手段１２６の付勢力によってそこに保持される。この位置において、グラバーキャッチの付勢手段１２６の付勢力は、第二爪１２４を掛け金されない位置の方向に付勢する。第二筐体１２２は、第一筐体１１０の開いた上部１３４が面する方向と反対の方向に面する開いた底部１４６を有する。第一閉鎖部材１０２を閉じる位置に移動する時に、L字形状の突起部１２８は、第二筐体の開いた底部１４６を通過して第二筐体１２２に移動を開始する。掛け金されない位置に第二爪１２４があるので、保持器１０８のL字形状の突起部１２８は、第二爪１２４を外す。L字形状の突起部１２８のより多くの部分が第二筐体１２２に突入するように、L字形状の突起部１２８と第二筐体１２２とが相対的に移動する場合に、第二爪１２４の突出るアーム１４８が、保持器１０８の基盤１５０に接触する点に到達し、掛け金される位置の方向にピボット的に移動を開始する。掛け金される方向への第二爪１２４の移動の間に、第二爪１２４の突出るアーム１４８は、片持ち梁の方法で保持器１０８の基盤１５０の上に張り出すL字形状の突起部１２８の部分１５２の下に移動する。さらに、掛け金される位置の方向に第二爪１２４が移動している間に、第二爪１２４は、掛け金されない位置と掛け金される位置との中間の中立の位置を通過する。一度、第二爪１２４が、中立の位置と掛け金される位置の中間にあれば、グラバーキャッチの付勢手段１２６の付勢傾向は、グラバーキャッチの付勢手段１２６が、すぐに第二爪１２４を掛け金する方向に付勢するように変化する。よって、第二爪１２４が、中立の位置と掛け金される位置との中間にある場合に、第二爪１２４を介して作動する、グラバーキャッチの付勢手段１２６の付勢力は、保持器のL字形状の突起部１２８を第二筐体１２２の中に引っ張り込むようになる。この方法で、第二爪１２４が中立の位置にある場合に、グラバーキャッチの付勢手段１２６に蓄えられるポテンシャルエネルギーは、第一閉鎖部材を閉じるために必要な作用力をそれによって低減するために、第一閉鎖部材１０２を閉じる時に助けとなる。
【００１７】
掛け金する位置に第二爪１２４があるので、第一閉鎖部材１０２は、グラバーキャッチの付勢手段１２６の付勢力によって閉じられる位置に固定される。加えて、第一爪１１８は同時に、第一閉鎖部材１０２が、掛け金アセンブリの取っ手１１２の操作を伴なわないで開けられないように、掛け金アセンブリ１０６を保持器１０８に積極的に固定するために、保持器のL字形状の突起部１２８の側面のキャビティ１３０に移動する。
【００１８】
第一閉鎖部材１０２を開放するために、取っ手の駆動アーム１１４が、掛け金されない位置に第一爪１１８を引込めている第一筐体１１０のカップ状のくぼみから、掛け金の取っ手１１２を持ち上げる。一度、第一爪１１８が、掛け金されない位置にあると、取っ手１１２は、開いた位置に第一閉鎖部材を移動するために、第二爪１２４のグラバーキャッチの付勢手段１２６によって作用する力に打ち勝つための十分な力で引張られるに違いない。この開ける操作の段階の間に、第二爪１２４は、保持器のL字形状の突起部１２８によって第二爪１２４に作用する引張り力によって、掛け金される位置から掛け金されない位置の方向に移動される。掛け金されない位置の方向に第二爪１２４を移動する間に、第二爪１２４は、掛け金される位置と掛け金されない位置との中間の同じ中立の位置を通過する。一度、第二爪１２４が、中立の位置と掛け金されない位置との中間にあれば、再度、グラバーキャッチの付勢手段１２６の付勢傾向は、グラバーキャッチの付勢手段がすぐに、第二爪を掛け金しない位置の方向に付勢するように変化する。一度、第二爪１２４が掛け金しない位置にあれば、保持器のL字形状の突起部１２８が第二筐体１２２から取り外され、保持器１０８が掛け金アセンブリ１０６から開放されるために、保持器のL字形状の突起部１２８は、第二爪１２４を取外す。
【００１９】
付勢手段１２６は、第二爪が、少なくともほぼ掛け金される位置にある場合に、第二爪１２４を掛け金される位置の方向に付勢し、第二爪が、少なくともほぼ掛け金されない位置にある場合に、第二爪１２４を掛け金されない位置の方向に付勢する。これによって、第二爪１２４が、少なくとも掛け金される位置に又は近傍にある場合に、グラバーキャッチの付勢手段１２６は、第二爪１２４を掛け金される位置の方向に付勢し、第二爪１２４が、少なくとも掛け金されない位置に又は近傍にある場合に、グラバーキャッチの付勢手段１２６は、第二爪１２４を掛け金されない位置の方向に付勢する。例示の実施形態において、グラバーキャッチの付勢手段１２６は、圧縮バネ又はコイルバネ１５４及び二つのガイド部材１５６と１５８を包含する。各々のガイド部材１５６、１５８は、円筒をその長手方向軸に沿って切断することによって形成された直円柱の半分の形状の端部部材１６０、１６２を有する。一方の端部部材のアーチ形表面１６４は、第二爪１２４に補完的な軸受面１６８がぴったりはまる軸受面を形成する。他方の端部部材のアーチ形表面１６６は、第二筐体１２２の角に補完的な軸受面がぴったりはまる軸受面を形成する。コイルバネ１５４は、端部部材１６０、１６２の平坦な表面の間に取込まれる。一方の端部部材１６０は、入れ子式の方法で他方の端部部材１６２から突き出たロッド１７２を受容するスリーブ１７０を有する。入れ子式のロッド及びスリーブは、端部部材が互いの方向へ又は互いから離れる方向に移動する場合に、コイルバネが収縮し膨張するように端部部材の間に配置されるコイルバネ１５４を維持しながら、互いの方向へ又は互いから離れる方向に端部部材１６０、１６２の移動を導く。
【００２０】
第二爪１２４は、ピン１７４によって第二筐体１２２に対してピボット的に支持され、ピン１７４の長手方向軸は、第二爪の回転軸を画定する。第二爪１２４が、中立の位置にある場合に、グラバーキャッチの付勢手段１２６によって作用する力と一致する力線が、第二爪１２４の回転軸と交差し、よって第二爪にトルクが作用しない。コイルバネ１５４は、第二爪１２４が中立の位置にある場合に、ほとんど圧縮されている。グラバーキャッチの付勢手段１２６は、第二爪が、掛け金される位置、及び中立の位置と掛け金される位置との中間の位置のいずれかにある場合に、第二爪１２４を掛け金される位置の方向に付勢する。グラバーキャッチの付勢手段１２６は、第二爪が、掛け金されない位置、及び中立の位置と掛け金されない位置との中間の位置のいずれかにある場合に、第二爪１２４が掛け金されない位置の方向に付勢する。例示された実施形態において、中立の位置と掛け金される位置との間を動く場合の、第二爪１２４のピボット的な運動の角度範囲は、中立の位置と掛け金しない位置との間を動く場合の、第二爪１２４のピボット的な運動の角度範囲より十分に大きくなる。
【００２１】
保持器１０８は、L字形状として先に述べられた突起部１２８を有する。この記述では、保持器の突起部を単に大雑把に記述している。保持器１０８の突起部１２８は、保持器の基盤から突出し、片持ち梁の方法で保持器の基盤１５０に張り出す部分１５２を有する。このような突起部１２８は、逆L字形状を有し、フックのようなものと見なされる。一般的に、この型の突起部は、技術的に突出た掴み具と呼ばれている。例示の実施形態の幾つかにおいて、保持器の基盤は、第二爪１２４により接触される領域で、突出た掴み具１２８の張り出す部分の下の領域に一段高いプラットホーム１７６を形成する。この配置は、その高さが、第二筐体１２２の深さと第二爪の突出るアーム１４８の厚さとによって規定されるから、第二爪１２４によって接触される基盤の表面の上に張り出す部分１５２の高さを一定に保持しながら、様々なパネルの厚さに適合するようになっている。さらに、第二筐体１２２の中に突出た掴み具１２８の進入、及び第一閉鎖部材を閉じながら突出た掴み具が第二筐体１２２の中に進入する時に、引込める位置の方向で、突出た掴み具の邪魔をせずに第一爪１１８の移動を容易にするために、突出た掴み具１２８の上端部は、尖端１７８を形成するために全側面が先細りにされる。
【００２２】
例示の実施形態は、添付の請求項の範囲と精神から逸脱することなく、多くの変更の影響を受ける。好適な実施形態において、直線的に動く爪が使用されているが、掛け金構造は、それを使用しないで製作することも可能である。この場合において、ピボットする取っ手１１２は必要なくなり、第一筐体それ自体が引張り取っ手として機能することが出来るだろう。このような場合において、第一筐体は、例えばプレートを備えることが可能であり、プレートは、その開いた上部１３４に部分的に張り出し、上方向に突出る壁１８０を排除して、その結果ユーザに握り部を提供する。
【００２３】
本発明は、上述の実施形態に限定されないことが理解されるべきであり、特許請求の範囲内の何れの及び全ての実施形態を包含する。
【図面の簡単な説明】
【００２４】
【図１】本発明の掛け金装置の図である。
【図２】本発明の掛け金装置の図である。
【図３】本発明の掛け金装置の図である。
【図４】本発明の掛け金装置の図である。
【図５】内部の詳細を示すために取っ手を取除いた、本発明の掛け金装置の図である。
【図６】内部の詳細を示すために取っ手を取除いた、本発明の掛け金装置の図である。
【図７】本発明の掛け金本体の図である。
【図８】本発明の掛け金本体の図である。
【図９】本発明の掛け金本体の図である。
【図１０】本発明の掛け金の取っ手の図である。
【図１１】本発明の掛け金の取っ手の図である。
【図１２】本発明の直線的に移動する爪の図である。
【図１３】本発明の直線的に移動する爪の図である。
【図１４】本発明の直線的に移動する爪の図である。
【図１５】本発明の直線的に移動する爪の図である。
【図１６】本発明の保持器の図である。
【図１７】本発明の保持器の図である。
【図１８】本発明の保持器の図である。
【図１９】本発明の掛け金装置の操作を図解する、断片的な及び周囲に関する図である。
【図２０】本発明の掛け金装置の操作を図解する、断片的な及び周囲に関する図である。
【図２１】本発明の掛け金装置の操作を図解する、断片的な及び周囲に関する図である。
【図２２】本発明の掛け金装置の操作を図解する、断片的な及び周囲に関する図である。
【図２３】本発明の掛け金装置の操作を図解する、断片的な及び周囲に関する図である。
【図２４】本発明の掛け金装置の操作を図解する、断片的な及び周囲に関する図である。
【図２５】本発明の掛け金装置の操作を図解する、断片的な及び周囲に関する図である。
【図２６】本発明の掛け金装置の操作を図解する、断片的な及び周囲に関する図である。
【図２７】本発明の掛け金装置の操作を図解する、断片的な及び周囲に関する図である。
【図２８】本発明の掛け金装置の操作を図解する、断片的な及び周囲に関する図である。
【図２９】本発明の掛け金装置の操作を図解する、断片的な及び周囲に関する図である。
【図３０】本発明の掛け金装置の操作を図解する、断片的な及び周囲に関する図である。  同様の参照記号は、添付図面を通して矛盾無く一致する特徴を示す。
【図１】
2008505291.tif 000003
【図２】
2008505291.tif 000004
【図３】
2008505291.tif 000005
【図４】
2008505291.tif 000006
【図５】
2008505291.tif 000007
【図６】
2008505291.tif 000008
【図７】
2008505291.tif 000009
【図８】
2008505291.tif 000010
【図９】
2008505291.tif 000011
【図１０】
2008505291.tif 000012
【図１１】
2008505291.tif 000013
【図１２】
2008505291.tif 000014
【図１３】
2008505291.tif 000015
【図１４】
2008505291.tif 000016
【図１５】
2008505291.tif 000017
【図１６】
2008505291.tif 000018
【図１７】
2008505291.tif 000019
【図１８】
2008505291.tif 000020
【図１９】
2008505291.tif 000021
【図２０】
2008505291.tif 000022
【図２１】
2008505291.tif 000023
【図２２】
2008505291.tif 000024
【図２３】
2008505291.tif 000025
【図２４】
2008505291.tif 000026
【図２５】
2008505291.tif 000027
【図２６】
2008505291.tif 000028
【図２７】
2008505291.tif 000029
【図２８】
2008505291.tif 000030
【図２９】
2008505291.tif 000031
【図３０】
2008505291.tif 000032
【国際調査報告】
2008505291.tif 000033